(57)【要約】【課題】簡素化および小型化を図る上で有利なブレーキ部材の駆動機構、レンズ移動機構、カメラおよび電子機器を提供する。小型化を図る上で有利なレンズ移動機構、カメラおよび電子機器を提供する。【解決手段】ブレーキ機構１５は、第２鏡筒２００４の光軸回りの回転位置を所望の角度で停止させるものであり、通電による自己発熱によって記憶された形状に復帰する形状記憶合金からなるブレーキ用構造体２０８６と、第２鏡筒２００４の外周にわたって形成されたローレット２０８８と、フレーム１６に取着された係止ばね２０９０とを備えて構成されている。係止ばね２０９０は、例えば、導電性を有するばね板を屈曲して構成され、下部が第２鏡筒２００４に臨むフレーム１６の箇所に取着され、上部にはローレット２０８８の凹部に係止可能な爪部２０９２が形成されている。【選択図】　　　　図２
2004069986.tif 000002
【特許請求の範囲】
【請求項１】
移動体に接触することで該移動体の移動を停止するブレーキ部材の駆動機構であって、
前記駆動機構は前記ブレーキ部材に連結されるとともに通電されることで自己発熱して形状が元の状態に復帰しその長さが変わる形状記憶合金からなる構造体を含んで構成されている、
ことを特徴とするブレーキ部材の駆動機構。
【請求項２】
互いに光軸を合致させた状態で回転可能に結合された第１鏡筒および第２鏡筒と、
前記第１鏡筒の内部に光軸方向に移動可能に配設された可動レンズと、前記第１鏡筒上で第２鏡筒を回転させる回転手段と、
前記第２鏡筒が回転した際に前記可動レンズを第１鏡筒に対して光軸方向に移動させる連動手段とを備えたレンズ移動機構において、
前記第２鏡筒の回転を停止させるブレーキ機構が設けられ、
前記ブレーキ機構は、前記第２鏡筒に接触することで前記第２鏡筒の回転を停止させるブレーキ部材と、前記第２鏡筒に対して前記ブレーキ部材を離間接近する方向に動かす駆動機構とで構成され、
前記駆動機構は前記ブレーキ部材に連結されるとともに通電されることで自己発熱して形状が元の状態に復帰しその長さが変わる形状記憶合金からなる構造体を含んで構成されている、
ことを特徴とするレンズ移動機構。
【請求項３】
フレームで支持された撮像素子と、
フレームで支持され前記撮像素子の前方に配置された第１鏡筒と、
前記第１鏡筒の内部に光軸方向に移動可能に配置された可動レンズと、
前記第１鏡筒に光軸を合致させた状態で回転可能に結合された第２鏡筒と、
前記第１鏡筒上で第２鏡筒を回転させる回転手段と、
前記第２鏡筒が回転した際に前記可動レンズを第１鏡筒に対して光軸方向に移動させる連動手段とを備えたカメラにおいて、
前記第２鏡筒の回転を停止させるブレーキ機構が設けられ、
前記ブレーキ機構は、前記第２鏡筒に接触することで前記第２鏡筒の回転を停止させるブレーキ部材と、前記第２鏡筒に対して前記ブレーキ部材を離間接近する方向に動かす駆動機構とで構成され、
前記駆動機構は前記ブレーキ部材に連結されるとともに通電されることで自己発熱して形状が元の状態に復帰しその長さが変わる形状記憶合金からなる構造体を含んで構成されている、
ことを特徴とするカメラ。
【請求項４】
フレームで支持された撮像素子と、
前記撮像素子から出力される撮像信号に基づいて画像を表示する画像表示手段と、
前記フレームで支持され前記撮像素子の前方に配置された第１鏡筒と、
前記第１鏡筒の内部に光軸方向に移動可能に配置された可動レンズと、
前記第１鏡筒に光軸を合致させた状態で回転可能に結合された第２鏡筒と、
前記第１鏡筒上で第２鏡筒を回転させる回転手段と、
前記第２鏡筒が回転した際に前記可動レンズを第１鏡筒に対して光軸方向に移動させる連動手段とを備えた電子機器において、
前記第２鏡筒の回転を停止させるブレーキ機構が設けられ、
前記ブレーキ機構は、前記第２鏡筒に接触することで前記第２鏡筒の回転を停止させるブレーキ部材と、前記第２鏡筒に対して前記ブレーキ部材を離間接近する方向に動かす駆動機構とで構成され、
前記駆動機構は前記ブレーキ部材に連結されるとともに通電されることで自己発熱して形状が元の状態に復帰しその長さが変わる形状記憶合金からなる構造体を含んで構成されている、
ことを特徴とする電子機器。
【請求項５】
前記ブレーキ部材は常時移動体から離れた状態で配設され、前記構造体への通電により該構造体の長さが短縮し前記ブレーキ部材が移動体に対して接触するように構成されていることを特徴とする請求項１記載のブレーキ部材の駆動機構。
【請求項６】
前記ブレーキ部材は常時第２鏡筒から離れた状態で配設され、前記構造体への通電により該構造体の長さが短縮し前記ブレーキ部材が第２鏡筒に対して接触するように構成されていることを特徴とする請求項２記載のレンズ移動機構または請求項３記載のカメラまたは請求項４記載の電子機器。
【請求項７】
前記ブレーキ部材は常時移動体に接触した状態で配設され、前記構造体への通電により該構造体の長さが短縮し前記ブレーキ部材が移動体から離れるように構成されていることを特徴とする請求項１記載のブレーキ部材の駆動機構。
【請求項８】
前記ブレーキ部材は常時第２鏡筒に接触した状態で配設され、前記構造体への通電により該構造体の長さが短縮し前記ブレーキ部材が第２鏡筒から離れるように構成されていることを特徴とする請求項２記載のレンズ移動機構または請求項３記載のカメラまたは請求項４記載の電子機器。
【請求項９】
前記接触は係止または圧接であることを特徴とする請求項１記載のブレーキ部材の駆動機構または請求項２記載のレンズ移動機構または請求項３記載のカメラまたは請求項４記載の電子機器。
【発明の詳細な説明】
【０００１】
【発明の属する技術分野】
本発明は、ブレーキ部材の駆動機構、レンズ移動機構、カメラおよび電子機器に関する。
【０００２】
【従来の技術】
ビデオカメラ、デジタルスチルカメラ等に用いられているレンズ鏡筒は、複数の可動レンズを有して構成され、変倍（ズーム）調整や焦点調整を行う為に、前記可動レンズをモータ等により光軸方向に移動させる構成となっている。
また、近年、ビデオカメラやデジタルスチルカメラをＰＤＡ、携帯電話機等の電子機器へ内蔵するために、小型のレンズ鏡筒が作られる様になってきている。
【０００３】
【発明が解決しようとする課題】
このようにズーム調整や焦点調整が可能なレンズ鏡筒に組み込まれた可動レンズを移動させるレンズ移動機構は、構成を簡素化するため、可動レンズを望遠位置と広角位置の何れかに切り換えて移動させる構成となっていることが多い。
そして、可動レンズを望遠位置と広角位置の間の中間位置に停止させて撮影を行なうことはこれら電子機器の使い勝手を向上させる上で重要であるが、可動レンズをこのような中間位置に停止させる機構としてはなるべく簡素で小型のものが要求される。
本発明は、このような実状に鑑みてなされたものであり、簡素化および小型化を図る上で有利な、可動レンズなどの移動体の移動を停止させるブレーキ部材の駆動機構を提供することを目的とする。また、本発明はこのようなブレーキ部材の駆動機構を備えたレンズ移動機構、このようなレンズ移動機構を組み込んだカメラ、電子機器を提供することを目的とする。
【０００４】
【課題を解決するための手段】
本発明のブレーキ部材の駆動機構は上記目的を達成するため、移動体に接触することで該移動体の移動を停止するブレーキ部材の駆動機構であって、前記駆動機構は前記ブレーキ部材に連結されるとともに通電されることで自己発熱して形状が元の状態に復帰しその長さが変わる形状記憶合金からなる構造体を含んで構成されていることを特徴とする。
そのため、本発明のブレーキ部材の駆動機構によれば、構造体が通電されることで該構造体が自己発熱して形状が元の状態に復帰しその長さが変わることによりブレーキ部材が移動体に接触され、これにより該移動体の移動が停止される。
また、本発明のレンズ移動機構は、互いに光軸を合致させた状態で回転可能に結合された第１鏡筒および第２鏡筒と、前記第１鏡筒の内部に光軸方向に移動可能に配設された可動レンズと、前記第１鏡筒上で第２鏡筒を回転させる回転手段と、前記第２鏡筒が回転した際に前記可動レンズを第１鏡筒に対して光軸方向に移動させる連動手段とを備えたレンズ移動機構において、前記第２鏡筒の回転を停止させるブレーキ機構が設けられ、前記ブレーキ機構は、前記第２鏡筒に接触することで前記第２鏡筒の回転を停止させるブレーキ部材と、前記第２鏡筒に対して前記ブレーキ部材を離間接近する方向に動かす駆動機構とで構成され、前記駆動機構は前記ブレーキ部材に連結されるとともに通電されることで自己発熱して形状が元の状態に復帰しその長さが変わる形状記憶合金からなる構造体を含んで構成されていることを特徴とする。
また、本発明のカメラは、フレームで支持された撮像素子と、フレームで支持され前記撮像素子の前方に配置された第１鏡筒と、前記第１鏡筒の内部に光軸方向に移動可能に配置された可動レンズと、前記第１鏡筒に光軸を合致させた状態で回転可能に結合された第２鏡筒と、前記第１鏡筒上で第２鏡筒を回転させる回転手段と、前記第２鏡筒が回転した際に前記可動レンズを第１鏡筒に対して光軸方向に移動させる連動手段とを備えたカメラにおいて、前記第２鏡筒の回転を停止させるブレーキ機構が設けられ、前記ブレーキ機構は、前記第２鏡筒に接触することで前記第２鏡筒の回転を停止させるブレーキ部材と、前記第２鏡筒に対して前記ブレーキ部材を離間接近する方向に動かす駆動機構とで構成され、前記駆動機構は前記ブレーキ部材に連結されるとともに通電されることで自己発熱して形状が元の状態に復帰しその長さが変わる形状記憶合金からなる構造体を含んで構成されていることを特徴とする。
また、本発明の電子機器は、フレームで支持された撮像素子と、前記撮像素子から出力される撮像信号に基づいて画像を表示する画像表示手段と、前記フレームで支持され前記撮像素子の前方に配置された第１鏡筒と、前記第１鏡筒の内部に光軸方向に移動可能に配置された可動レンズと、前記第１鏡筒に光軸を合致させた状態で回転可能に結合された第２鏡筒と、前記第１鏡筒上で第２鏡筒を回転させる回転手段と、前記第２鏡筒が回転した際に前記可動レンズを第１鏡筒に対して光軸方向に移動させる連動手段とを備えた電子機器において、前記第２鏡筒の回転を停止させるブレーキ機構が設けられ、前記ブレーキ機構は、前記第２鏡筒に接触することで前記第２鏡筒の回転を停止させるブレーキ部材と、前記第２鏡筒に対して前記ブレーキ部材を離間接近する方向に動かす駆動機構とで構成され、前記駆動機構は前記ブレーキ部材に連結されるとともに通電されることで自己発熱して形状が元の状態に復帰しその長さが変わる形状記憶合金からなる構造体を含んで構成されていることを特徴とする。
そのため、本発明のレンズ移動機構、カメラおよび電子機器によれば、構造体が通電されることで該構造体が自己発熱して形状が元の状態に復帰しその長さが変わることによりブレーキ部材が第２鏡筒に接触され、これにより該第２鏡筒の移動が停止される。
【０００５】
【発明の実施の形態】
以下、本発明によるブレーキ部材の駆動機構、レンズ移動機構、カメラおよび電子機器の実施の形態を図面に基づいて詳細に説明する。
図６は、本発明の第１の実施の形態における電子機器の構成を示すブロック図である。
電子機器としての携帯電話機１００は、カメラ部１０２、撮影制御手段１０４、レンズ制御手段１０６、表示手段１０８、記憶手段１０９、操作入力手段１１０、通信手段１１２などを備えて構成されている。なお、前記携帯電話機１００は通話やメールなど一般的な携帯電話処理を行なう処理部やその他の従来公知の様々な処理部を有している。
前記カメラ部１０２は、光学系１０と、撮像素子１２と、レンズ移動機構１４と、ブレーキ機構１５と、フレーム１６とを有して構成されている。
前記撮影制御手段１０４は、前記撮像素子１２から入力される撮像信号を処理することにより、該撮像信号に基づく画像を前記表示手段１０６に表示させるように構成されている。
前記レンズ制御手段１０６は、前記操作入力手段１０８から与えられるレンズの移動の指示に基づいて前記レンズ移動機構１４に対してレンズ駆動用の駆動信号を供給するとともに、ブレーキ機構１５に対してブレーキ駆動用の駆動信号を供給するように構成されている。
前記表示手段１０８は、前記撮像信号に基づく画像の表示を行なう他、文字や記号などを含むメッセージの表示が可能に構成されている。
前記記憶手段１０９は、前記映像制御手段１０４から入力される前記撮像信号を記録するように構成されている。
前記操作入力手段１１０は、テンキーを含む複数の操作キーから構成され、該操作入力手段１１０に対してなされた操作によって、前記撮影制御手段１０４に撮影動作の指示や前記レンズ制御手段１０６に対するレンズ移動の指示を与えるように構成されている。
前記通信手段１１２は、前記撮影素子１２あるいは前記記憶手段１０９からの映像信号を前記撮影制御手段１０４を介して入力し、該撮像信号を所定の相手先に通信するように構成されている。
【０００６】
図１は本発明の第１の実施の形態によるブレーキ部材の駆動機構が適用されたレンズ移動機構の斜視図、図２はブレーキ作動状態における図１のＹＹ線断面図、図３はブレーキ非作動状態における図１のＹＹ線断面図、図４は図１のＸＸ線断面図、図５はレンズ移動機構を光軸方向から見た図である。
前記カメラ部１０２は、円筒状の第１鏡筒（固定鏡筒）２００２と、前記第１鏡筒２００２よりも大きな内径で形成された円筒状の第２鏡筒（可動鏡筒）２００４とを備えている。
前記第１鏡筒２００２はフレーム１６に固定され、この第１鏡筒２００２の外側に第２鏡筒２００４が軸方向に移動不能で回転のみ可能に結合されている。なお、図４に点線で示すように、第２鏡筒２００４から第１鏡筒２００２の円環溝にピン２００８が挿入固定され、これにより第２鏡筒２００４は第１鏡筒２００２に対して軸方向に移動不能で回転のみ可能に結合されている。
【０００７】
前記カメラ部１０２の光学系１０は、被写体を撮影する固定レンズ２０１０および第１、第２可動レンズ２０１２、２０１４とを備え、これらレンズ２０１０、２０１２、２０１４は第１鏡筒２００２の内部に配設されている。
前記撮像素子１２は、前記光学系１０よって結像された被写体像を受光して撮像信号を出力するように構成されている。前記撮像素子１２は、例えばＣＣＤによって構成することができ、前記撮像素子１２は、第１鏡筒２００２の基部の壁部２０１５に組付けられた基板２０１６に取着されている。
【０００８】
前記固定レンズ２０１０は、前記第１鏡筒２００２の前端に取着され、第１鏡筒２００２の前端の外周にはＯリング２０１８が装着されている。
前記第１可動レンズ２０１２は枠状の第１可動レンズ支持枠２０２０に支持されている。前記第１可動レンズ支持枠２０２０は、第１鏡筒２００２の内部に光軸と平行に配設された２本のガイド軸２０２４に摺動可能に結合され、これにより第１可動レンズ支持枠２０２０は、光軸方向に直線移動可能にかつ回転不能に第１鏡筒２００２の内部に配設されている。
前記第１可動レンズ支持枠２０２０の外周面には、周方向の外方に第１カムピン２０２６が突設され、この第１カムピン２０２６は第１鏡筒２００２の外周面のカム溝２０２８に挿入され、前記カム溝２０２８は光軸と平行する方向に直線状に延在して形成されている。
前記第２可動レンズ２０１４は枠状の第２可動レンズ支持枠２０２２に支持されている。前記第２可動レンズ支持枠２０２２は、前記２本のガイド軸２０２４に摺動可能に結合され、これにより第２可動レンズ支持枠２０２２は、光軸方向に直線移動可能にかつ回転不能に第１鏡筒２００２の内部に配設されている。
前記第２可動レンズ支持枠２０２２の外周面には、周方向の外方に第２カムピン２０３０が突設され、この第２カムピン２０３０は第１鏡筒２００２の外周面のカム溝２０３２に挿入され、前記カム溝２０３２は光軸と平行する方向に直線状に延在して形成されている。
【０００９】
前記第２鏡筒２００４の基部端面には、前記第１可動レンズ支持枠２００２の第１カムピン２０２６に面した箇所に湾曲面状の第１カム面２０３４が周方向に延在形成され、前記第２可動レンズ２００４の第２カムピン２０３０に面した箇所に湾曲面状の第２カム面２０３６が周方向に延在形成されている。
前記第１可動レンズ支持枠２０２０と第２可動レンズ支持枠２０２２の間には、コイルばね２０３８が設けられており、このコイルばね２０３４によって前記第１可動レンズ支持枠２０２０と第２可動レンズ支持枠２０２２とは互いに離間する方向に付勢されている。
また、前記第２可動レンズ支持枠２０２２と、前記撮像素子１２が取着された前記壁部２０１５との間にはコイルばね２０４０が設けられており、このコイルばね２０４０によって前記第２可動レンズ支持枠２０２２は、前記第１鏡筒２００２の基部から離れる方向に付勢されている。
【００１０】
そして、これらコイルばね２０３８、２０４０によって第１、第２可動レンズ支持枠２０２０、２０２２は、前記第１鏡筒の基部から離れる方向に付勢されており、言い換えると第１、第２可動レンズ支持枠２０２０、２０２２は、固定レンズ２０１０に近づく方向に付勢される。
これにより、前記第１可動レンズ支持枠２０２０の第１カムピン２０２６は前記第２鏡筒２００４の第１カム面２０３４に常時当接され、前記第２可動レンズ支持枠２０２２の第２カムピン２０３０は前記第２鏡筒２００４の第２カム面２０３６に常時当接されている。
【００１１】
前記第２鏡筒２００４の外周面には、周方向の外方に向けて第２鏡筒側取付ピン２０４２が突設され、さらに、第１カムピン２０２６が第１カム面２０３４に当接し、第２カムピン２０３０が第２カム面２０３６に当接した状態で、前記第１鏡筒２００２の外周面で前記第２鏡筒側取付ピン２０４２の周方向の両側箇所に第１、第２取付ピン２０４４、２０４６が突設されている。
前記取付ピン２０４２、２０４４、２０４６は、導電性を有する材料で構成され、これら各取付ピン２０４２、２０４４、２０４６には、前記レンズ制御手段１０６によって前記駆動信号としての電流が供給されるように構成されている。
具体的には、前記各取付ピン２０４２、２０４４、２０４６のそれぞれには、前記レンズ制御手段１０６からの駆動信号を供給するための独立したリード線（不図示）が接続されている。
【００１２】
前記レンズ移動機構１４は、可動レンズを光軸方向に動かすものであり、通電による自己発熱によって記憶された形状に復帰する線状の形状記憶合金からなる構造体を含んで構成されている。
本実施の形態では、前記構造体は、第１構造体２０４８と第２構造体２０５０とで構成されている。
前記第１構造体２０４８は、線状の形状記憶合金をコイル状に形成したもので、通電による自己発熱によってその長さが短縮し前記第２鏡筒をその回転方向の一方に回転させるように構成されている。
前記第２構造体２０５０は、線状の形状記憶合金をコイル状に形成したもので、通電による自己発熱によってその長さが短縮し前記第２鏡筒をその回転方向の他方に回転させるように構成されている。
前記第１構造体２０４８は、前記第２鏡筒側取付ピン２０４２と第１取付ピン２０４４との間に掛け渡され、第１構造体２０４８の一端は前記第２鏡筒側取付ピン２０４２に導電性接着剤によって固着され、他端は前記第１取付ピン２０４４に導電性接着剤によって固着されている。
前記第２構造体２０５８は、前記第２鏡筒側取付ピン２０４２と第２取付ピン２０４６との間に掛け渡され、第２構造体２０５０の一端は前記第２鏡筒側取付ピン２０４２に導電性接着剤によって固着され、他端は前記第２取付ピン２０４６に導電性接着剤によって固着されている。
すなわち、前記第１構造体２０４８と第２構造体２０５０は前記第１鏡筒２００２の外周面上でそれぞれ周方向の反対方向に延在し、それらの端部は前記第１鏡筒２００２に設けられた第１、第２取付ピン２０４４、２０４６に取着されていることになる。
【００１３】
したがって、前記第１構造体２０４８に電流が供給され、第２構造体２０５０に電流が供給されない場合には、前記第１構造体２０４８が短縮することにより、前記第２鏡筒２００４が前記固定レンズ２０１０の前方から見て時計方向に回転される。
前記第２鏡筒２００４の時計方向の回転によって第１カム面２０３４が移動することにより、第１カムピン２０２６が前記光軸方向に移動され、これにより前記第１可動レンズ支持枠２０２０が光軸方向で前記撮像素子１２方向に移動される。
また、前記第２鏡筒２００４の時計方向の回転によって第２カム面２０３６が移動することにより、第２カムピン２０３０が前記光軸方向に移動され、これにより前記第２可動レンズ支持枠２０２２が光軸方向で前記撮像素子１２方向に移動される。
【００１４】
また、前記第１構造体２０４８に電流が供給されず、第２構造体２０５０に電流が供給される場合には、前記第２構造体２０５０が短縮することにより、前記第２鏡筒２００４が前記固定レンズ２０１０の前方から見て反時計方向に回転される。
前記第２鏡筒２００４の反時計方向の回転によって第１カム面２０３４が移動することにより、第１カムピン２０２６が前記光軸方向に移動され、これにより前記第１可動レンズ支持枠２０２０が光軸方向で前記固定レンズ２０１０方向に移動される。
また、前記第２鏡筒２００４の反時計方向の回転によって第２カム面２０３６が移動することにより、第２カムピン２０３０が前記光軸方向に移動され、これにより前記第２可動レンズ支持枠２０２２が光軸方向で前記固定レンズ２０１０方向に移動される。
【００１５】
そして、前記第１鏡筒２００２の第１、第２カムピン２０２６、２０３０と、第２鏡筒２００４の第１、第２カム面２０３４、２０３６と、前記第１、第２構造体２０３８、２０４０によって前記第１、第２可動レンズ２０１２、２０１４を光軸方向に移動する前記レンズ移動機構１４が構成されている。
また、本実施の形態においては、前記第１鏡筒２００２の第１、第２カムピン２０２６、２０３０と、第２鏡筒２００４の第１、第２カム面２０３４、２０３６とによって特許請求の範囲の連動手段が構成され、前記第１、第２構造体２０３８、２０４０によって特許請求の範囲の回転手段が構成されている。
【００１６】
また、本実施の形態では、前記レンズ移動機構１４によって前記第１可動レンズ２０１２および第２可動レンズ２０１４が前記固定レンズ２０１０に対して移動することにより、前記光学系１０によるズーム比が変化するように構成されている。
【００１７】
前記ブレーキ機構１５は、前記第２鏡筒２００４の光軸回りの回転位置を所望の角度で停止させるものであり、ブレーキ用構造体２０８６（特許請求の範囲の駆動機構に相当）と、前記第２鏡筒２００４の外周にわたって形成されたローレット２０８８（複数の係合凹部）と、前記フレーム１６に取着された係止ばね２０９０（特許請求の範囲のブレーキ部材に相当）とを備えて構成されている。
前記係止ばね２０９０は、例えば、導電性を有するばね板を屈曲して構成され、下部が前記第２鏡筒２００４に臨むフレーム１６の箇所に取着され、上部には前記ローレット２０８８の凹部に係止可能な爪部２０９２が形成されており、該爪部２０９２がローレット２０８８に常時係止するように配設されている。
前記ブレーキ用構造体２０８６は、通電されることで自己発熱して形状が元の状態に復帰しその長さが変わるように形状記憶合金から構成されている。本実施の形態では、前記ブレーキ用構造体２０８６は、線状の形状記憶合金によりコイル状に形成されている。前記ブレーキ用構造体２０８６の一端は前記係止ばね２０９０の先端、すなわち爪部２０９２の背面箇所に導電性接着剤などにより取着され、その他端はフレーム１６箇所に導電性接着剤などにより取着されている。前記ブレーキ用構造体２０８６の他端には不図示のリード線が接続され、前記係止ばね２０９０の取付箇所には不図示のリード線が接続されている。これら２つのリード線は、前記レンズ制御手段１０６に接続され、該レンズ制御手段１０６によって通電されるように、すなわちブレーキ用の駆動電流が供給されるように構成されている。
【００１８】
したがって、前記ブレーキ用構造体２０８６が通電されない場合には、図１に示すように、前記ブレーキ用構造体２０８６が前記係止ばね２０９０の付勢力によって伸長され、前記係止ばね２０９０の爪部２０９２が前記ローレット２０８８の凹部に係合し、これにより、前記第２鏡筒２００４の回転が停止される。すなわち、前記ブレーキ機構１５はブレーキ作動状態となる。
また、前記ブレーキ用構造体２０８６が通電された場合には、図４に示すように、ブレーキ用構造体２０８６が短縮することにより、前記係止ばね２０９０の爪部２０９２が前記ローレット２０８８から離間され、前記第２鏡筒２００４の回転を可能とする。すなわち前記ブレーキ機構１５はブレーキ非動作状態となる。
【００１９】
次に上述のように構成された携帯電話機１００によって光学系のズーム比を変更する際の作用について説明する。
携帯電話機１００の利用者が光学系１０を広角に設定するための操作を前記操作入力手段１１０に対して行なうと、前記レンズ制御手段１０６は、図２に示すように、前記ブレーキ用構造体２０８６に前記ブレーキ用の駆動電流を供給して前記ブレーキ機構１５をブレーキ非作動状態とする。
次いで、前記レンズ制御手段１０６は、前記第２鏡筒側取付ピン２０４２と第２取付ピン２０４６に電圧を印加することにより前記第２構造体２０５０に電流を供給する。
すると、前記第２構造体２０５０が短縮することで前記第１可動レンズ２０１２、第２可動レンズ２０１４は、前記レンズ移動機構１４の作用によって固定レンズ２０１０に近接する方向に移動される。この結果、前記光学系１０は、そのズーム比が広角となるように設定される。
次いで、前記レンズ制御手段１０６は、図１に示すように、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定された広角の位置に停止保持される。
【００２０】
携帯電話機１００の利用者が光学系１０を望遠に設定するための操作を前記操作入力手段１１０に対して行なうと、広角に設定する場合と同様に、前記レンズ制御手段１０６は、図２に示すように、前記ブレーキ用構造体２０８６にブレーキ用の駆動電流御を供給して前記ブレーキ機構１５をブレーキ非作動状態とする。
次いで、前記レンズ制御手段１０６は、前記第２鏡筒側取付ピン２０４２と第１取付ピン２０４４に電圧を印加することにより前記電流の供給を行なう。
すると、前記第１構造体２０４８が短縮することで前記第１可動レンズ２０１２、第２可動レンズ２０１４は、前記レンズ移動機構１４の作用によって前記撮像素子１２に近接する方向に移動される。この結果、前記光学系１０は、そのズーム比が望遠となるように設定される。
次いで、前記レンズ制御手段１０６は、図１に示すように、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定された望遠の位置に停止保持される。
【００２１】
携帯電話機１００の利用者が光学系１０を広角と望遠の間の任意の位置に設定するための操作を前記操作入力手段１１０に対して行なうと、上述の場合と同様に、前記レンズ制御手段１０６は、図２に示すように、前記ブレーキ用構造体２０８６に電圧を印加することにより電流を供給して前記ブレーキ機構１５をブレーキ非作動状態とする。
次いで、前記レンズ制御手段１０６は、前記第１、第２構造体２０４８、２０５０の何れか一方に供給する電流の時間を調節し、これにより、前記第１、第２構造体２０４８、２０５０の何れか一方の短縮する寸法を調整する。
これにより、前記第１構造体２０４８または第２構造体２０５０が短縮することで前記第１可動レンズ２０１２、第２可動レンズ２０１４は、前記レンズ移動機構１４の作用によって前記固定レンズ２０１０と前記撮像素子１２の間の任意の位置に移動される。この結果、前記光学系１０は、そのズーム比が広角と望遠の間の任意の値となるように設定される。
次いで、前記レンズ制御手段１０６は、図１に示すように、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定されたズーム比の位置に停止保持される。
【００２２】
以上説明したように、本実施の形態によれば、第２鏡筒２００４の回転を停止させるブレーキ機構１５が前記係合ばね２０８６に連結されるとともに通電されることで自己発熱して形状が元の状態に復帰しその長さが変わる形状記憶合金からなる構造体２０８６を含んで構成した。
したがって、ブレーキ機構１５は構造が簡素で占有スペースも少なくて済むので、ブレーキ機構１５、該ブレーキ機構１５を用いたレンズ移動機構を簡素化および小型化する上で有利である。また、このようなレンズ移動機構を組み込んだカメラや携帯電話機、ＰＤＡ（Ｐｅｒｓｏｎａｌ　Ｄｉｇｉｔａｌ　Ａｓｓｉｓｔａｎｔ）、ノート型パーソナルコンピュータなどの電子機器の小型化を図る上で有利である。
また、ブレーキ機構１５を用いて第２鏡筒２００４の回転を停止させて前記第１、第２可動レンズ２０１２、２０１４を停止保持することにより、前記第１、第２構造体２０４８、２０５０への電流の供給を停止することができるので、消費電力を低減する上で有利となる。
ブレーキ機構１５の作動時に構造体２０８６が短縮する動作を行ない、この動作に際しては雑音が発生しないので、電子機器の静粛性を高める上で有利となる。特に、携帯電話機においては、前記雑音が送話器（内蔵マイク）を介して携帯電話機の使用者に届くことがないのでより好ましい。
【００２３】
次に、第２の実施の形態について説明する。
第２の実施の形態が第１の実施の形態と異なる点は、第２鏡筒を回転させる回転手段の構成である。
図７は第２の実施の形態によるレンズ移動機構の斜視図、図８は図７の側面図である。図７、図８において第１の実施の形態と同一の部材や同様の部分には同一の符号を付してその説明を省略する。
前記第２鏡筒２００４の外周面には、周方向の外方に向けて第２鏡筒側取付ピン２０４２が突設されている。
前記第１鏡筒２００２の外周面には、周方向の外側に向けて第１鏡筒側取付ピン２０５２が突設されている。
前記取付ピン２０４２、２０５２は、導電性を有する材料で構成され、これら各取付ピン２０４２、２０５２には、前記レンズ制御手段１０６によって前記駆動信号としての電流が供給されるように構成されている。
具体的には、前記各取付ピン２０４２、２０５２のそれぞれには、前記レンズ制御手段１０６からの駆動信号を供給するための独立したリード線（不図示）が接続されている。
構造体２０５４は、第１の実施の形態と同様に、通電による自己発熱によって記憶された形状に復帰する線状の形状記憶合金から構成されている。
本実施の形態では、前記構造体２０５４は、前記第１鏡筒２００２の外周面上に前記形状記憶合金がコイル状に巻装されて形成されている。前記構造体２０５４の一方の端部は前記第１鏡筒側取付ピン２０５２に導電性接着剤によって固着され、他方の端部は前記第２鏡筒側取付ピン２０４２に導電性接着剤によって固着されている。
また、前記第２鏡筒２００４と第１鏡筒２００２の間には不図示の付勢部材が設けられており、該付勢部材の付勢力によって前記第２鏡筒２００４はその回転方向の角度位置が所定位置、第２の実施の形態では広角に対応する位置となるように常時付勢されている。
【００２４】
第２の実施の形態では、前記構造体２０５４に電流が供給されると、形状記憶合金が発熱して記憶された形状に復帰することで前記構造体２０５４が短縮し、前記第２鏡筒２００４が前記付勢部材の付勢力に抗して前記固定レンズ２０１０の前方から見て時計方向に回転される。
前記第２鏡筒２００４の時計方向の回転によって第１カム面２０３４が移動することにより、第１カムピン２０２６が前記光軸方向に移動され、これにより前記第１可動レンズ支持枠２０２０が光軸方向で前記撮像素子１２方向に移動される。
また、前記第２鏡筒２００４の時計方向の回転によって第２カム面２０３６が移動することにより、第２カムピン２０３０が前記光軸方向に移動され、これにより前記第２可動レンズ支持枠２０２２が光軸方向で前記撮像素子１２方向に移動される。
また、前記構造体２０５４に電流が供給されない場合には、該構造体２０５４が電流が供給されない状態における形状記憶合金の形状となり、すなわち前記通電時に比較して伸長することに加えて、前記付勢部材の付勢力によって前記第２鏡筒２００４が前記固定レンズ２０１０の前方から見て反時計方向に回転される。
前記第２鏡筒２００４の反時計方向の回転によって第１カム面２０３４が移動することにより、第１カムピン２０２６が前記光軸方向に移動され、これにより前記第１可動レンズ支持枠２０２０が光軸方向で前記固定レンズ２０１０方向に移動される。
また、前記第２鏡筒２００４の反時計方向の回転によって第２カム面２０３６が移動することにより、第２カムピン２０３０が前記光軸方向に移動され、これにより前記第２可動レンズ支持枠２０２２が光軸方向で前記固定レンズ２０１０方向に移動される。
【００２５】
第２の実施の形態では、前記第１鏡筒２００２の第１、第２カムピン２０２６、２０３０と、第２鏡筒２００４の第１、第２カム面２０３４、２０３６と、前記構造体２０５４によって前記第１、第２可動レンズ２０１２、２０１４を光軸方向に移動する前記レンズ移動機構１４が構成されている。
また、前記第１鏡筒２００２の第１、第２カムピン２０２６、２０３０と、第２鏡筒２００４の第１、第２カム面２０３４、２０３６とによって特許請求の範囲の連動手段が構成され、前記構造体２０５４によって特許請求の範囲の回転手段が構成されている。
【００２６】
第２の実施の形態におけるブレーキ機構１５は、前記第２鏡筒２００４の光軸回りの回転位置を所望の角度で停止させるものであり、第１の実施の形態と同様に構成されている。すなわち、通電による自己発熱によって記憶された形状に復帰する形状記憶合金からなるブレーキ用構造体２０８６と、前記第２鏡筒２００４の外周にわたって形成されたローレット２０８８と、前記フレーム１６に取着された係止ばね２０９０とを備えて構成されている。
【００２７】
したがって、前記ブレーキ用構造体２０８６が通電されない場合には、図８に示すように、前記ブレーキ用構造体２０８６が前記係止ばね２０９０の付勢力によって伸長され、前記係止ばね２０９０の爪部２０９２が前記ローレット２０８８の凹部に係合し、これにより、前記第２鏡筒２００４の回転を停止する。すなわち、前記ブレーキ機構１５はブレーキ作動状態となる。
また、前記ブレーキ用構造体２０８６が通電された場合には、ブレーキ用構造体２０８６が短縮することにより、前記係止ばね２０９０の爪部２０９２が前記ローレット２０８８から離間され、前記第２鏡筒２００４の回転を可能とする。すなわち前記ブレーキ機構１５はブレーキ非動作状態となる。
【００２８】
次に上述のように構成された携帯電話機１００によって光学系のズーム比を変更する際の作用について説明する。
携帯電話機１００の利用者が光学系１０を広角に設定するための操作を前記操作入力手段１１０に対して行なうと、前記レンズ制御手段１０６は、前記ブレーキ用構造体２０８６に前記ブレーキ用の駆動電流を供給して前記ブレーキ機構１５をブレーキ非作動状態とする。
次いで、前記レンズ制御手段１０６は、前記第２鏡筒側取付ピン２０４２と第２取付ピン２０４６に電圧を印加することにより前記構造体２０５４に電流を供給する。
すると、前記第１可動レンズ２０１２、第２可動レンズ２０１４は、前記レンズ移動機構１４の作用によって固定レンズ２０１０に近接する方向に移動される。この結果、前記光学系１０は、そのズーム比が広角となるように設定される。
次いで、前記レンズ制御手段１０６は、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定された広角の位置に停止保持される。
【００２９】
携帯電話機１００の利用者が光学系１０を望遠に設定するための操作を前記操作入力手段１１０に対して行なうと、広角に設定する場合と同様に、前記レンズ制御手段１０６は、前記ブレーキ用構造体２０８６にブレーキ用の駆動電流御を供給して前記ブレーキ機構１５をブレーキ非作動状態とする。
次いで、前記レンズ制御手段１０６は、前記第２鏡筒側取付ピン２０４２と第２取付ピン２０４６への電圧印加を停止する。
すると、前記第１可動レンズ２０１２、第２可動レンズ２０１４は、前記レンズ移動機構１４の作用によって前記撮像素子１２に近接する方向に移動される。この結果、前記光学系１０は、そのズーム比が望遠となるように設定される。
次いで、前記レンズ制御手段１０６は、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定された望遠の位置に停止保持される。
【００３０】
携帯電話機１００の利用者が光学系１０を広角と望遠の間の任意の位置に設定するための操作を前記操作入力手段１１０に対して行なうと、上述の場合と同様に、前記レンズ制御手段１０６は、前記ブレーキ用構造体２０８６に電圧を印加することにより電流を供給して前記ブレーキ機構１５をブレーキ非作動状態とする。
次いで、前記レンズ制御手段１０６は、前記構造体２０５４に供給する電流の時間を調節し、これにより、前記構造体２０５４の短縮する寸法を調整する。
これにより、前記第１可動レンズ２０１２、第２可動レンズ２０１４は、前記レンズ移動機構１４の作用によって前記固定レンズ２０１０と前記撮像素子１２の間の任意の位置に移動される。この結果、前記光学系１０は、そのズーム比が広角と望遠の間の任意の値となるように設定される。
次いで、前記レンズ制御手段１０６は、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定されたズーム比の位置に停止保持される。
【００３１】
第２の実施の形態によれば、第１の実施の形態の場合と同様に、ブレーキ機構１５は構造が簡素で占有スペースも少なくて済むので、ブレーキ機構１５、該ブレーキ機構１５を用いたレンズ移動機構を簡素化および小型化する上で有利である。また、このようなレンズ移動機構を組み込んだカメラや携帯電話機などの電子機器の小型化を図る上で有利である。
また、ブレーキ機構１５を用いて第２鏡筒２００４の回転を停止させて前記第１、第２可動レンズ２０１２、２０１４を停止保持することにより、前記第１、第２構造体２０４８、２０５０への電流の供給を停止することができるので、消費電力を低減する上で有利となる。
また、ブレーキ機構１５の作動時に構造体２０８６が短縮する動作を行ない、この動作に際しては雑音が発生しないので、電子機器の静粛性を高める上で有利となる。特に、携帯電話機においては、前記雑音が送話器（内蔵マイク）を介して携帯電話機の使用者に届くことがないのでより好ましい。
【００３２】
次に、第３の実施の形態について説明する。
第３の実施の形態が第１の実施の形態と異なる点は、第２鏡筒を回転させる回転手段の構成である。
図９は第３の実施の形態によるレンズ移動機構の側面図、図１０は第３の実施の形態によるレンズ移動機構の平面図である。図９、図１０において第１の実施の形態と同一の部材や同様の部分には同一の符号を付してその説明を省略する。
前記第２鏡筒２００４の外周面には、周方向の半分にわたって導電性を有する例えば銅板からなる帯板状の接続部材２０６０が取着され、該接続部材２０６０の両端には導電性を有する第１、第２取付部２０６２、２０６４が形成され、これら第１、第２取付部２０６２、２０６４は、第２鏡筒２００４の周方向で１８０度対称な箇所に位置している。
前記第１鏡筒２００２の基部に位置するフレーム１６には、前記第１鏡筒２００２を中心にして囲む矩形の四隅のそれぞれの位置に第１鏡筒２００２と平行するように第１乃至第４フレーム側取付ピン２０６６、２０６８、２０７０、２０７２が立設されている。
前記第１、第２フレーム側取付ピン２０６６、２０６８は前記接続部材２０６０の第１取付部２０６２を挟んで一直線上に位置している。
前記第３、第４フレーム側取付ピン２０７０、２０７２は前記接続部材２０６０の第２取付部２０６４を挟んで一直線上に位置している。
第１乃至第４フレーム側取付ピン２０６６、２０６８、２０７０、２０７２は、導電性を有する材料で構成され、これら第１乃至第４フレーム側取付ピン２０６６、２０６８、２０７０、２０７２には、前記レンズ制御手段１０６によって前記駆動信号としての電流が供給されるように構成されている。
具体的には、前記第１乃至第４フレーム側取付ピン２０６６、２０６８、２０７０、２０７２のそれぞれには、前記レンズ制御手段１０６からの駆動信号を供給するための独立したリード線（不図示）が接続されている。
本実施の形態では、前記構造体は、第１乃至第４構造体２０７４、２０７６、２０７８、２０８０で構成されている。
【００３３】
前記第１乃至第４構造体２０７４、２０７６、２０７８、２０８０は、線状の形状記憶合金をコイル状に形成したもので、第１の実施の形態と同様に、通電による自己発熱によってその長さが短縮するように構成されている。
前記第１構造体２０７４は、その一方の端部が第１フレーム側取付ピン２０６６に導電性接着剤によって固着され、他方の端部が前記第１取付部２０６２に導電性接着剤によって固着されている。
前記第２構造体２０７６は、その一方の端部が第２フレーム側取付ピン２０６８に導電性接着剤によって固着され、他方の端部が前記第１取付部２０６２に導電性接着剤によって固着されている。
前記第３構造体２０７８は、その一方の端部が第３フレーム側取付ピン２０６８に導電性接着剤によって固着され、他方の端部が前記第２取付部２０６４に導電性接着剤によって固着されている。
前記第４構造体２０８０は、その一方の端部が第４フレーム側取付ピン２０７０に導電性接着剤によって固着され、他方の端部が前記第２取付部２０６４に導電性接着剤によって固着されている。
【００３４】
したがって、前記第１フレーム側取付ピン２０６６と第３フレーム側取付ピン２０７０に電圧が印加されると、前記第１構造体２０７４、第１取付部２０６２、接続部材２０６０、第２取付部２０６４、第３構造体２０７８という経路で電流が流れ、これにより第１、第３構造体２０７４、２０７８が短縮し、前記第２鏡筒２００４が前記固定レンズ２０１０の前方から見て時計方向に回転される。
前記第２鏡筒２００４の時計方向の回転によって第１カム面２０３４が移動することにより、第１カムピン２０２６が前記光軸方向に移動され、これにより前記第１可動レンズ支持枠２０２０が光軸方向で前記撮像素子１２方向に移動される。
また、前記第２鏡筒２００４の時計方向の回転によって第２カム面２０３６が移動することにより、第２カムピン２０３０が前記光軸方向に移動され、これにより前記第２可動レンズ支持枠２０２２が光軸方向で前記撮像素子１２方向に移動される。
【００３５】
また、前記第２フレーム側取付ピン２０６８と第４フレーム側取付ピン２０７２に電圧が印加されると、前記第２構造体２０７６、第１取付部２０６２、接続部材２０６０、第２取付部２０６４、第４構造体２０８０という経路で電流が流れ、これにより第２、第４構造体２０７６、２０８０が短縮し、前記第２鏡筒２００４が前記固定レンズ２０１０の前方から見て反時計方向に回転される。
前記第２鏡筒２００４の反時計方向の回転によって第１カム面２０３４が移動することにより、第１カムピン２０２６が前記光軸方向に移動され、これにより前記第１可動レンズ支持枠２０２０が光軸方向で前記固定レンズ２０１０方向に移動される。
また、前記第２鏡筒２００４の反時計方向の回転によって第２カム面２０３６が移動することにより、第２カムピン２０３０が前記光軸方向に移動され、これにより前記第２可動レンズ支持枠２０２２が光軸方向で前記固定レンズ２０１０方向に移動される。
【００３６】
そして、前記第１鏡筒２００２の第１、第２カムピン２０２６、２０３０と、第２鏡筒２００４の第１、第２カム面２０３４、２０３６と、前記第１乃至第４構造体２０７４、２０７６、２０７８、２０８０によって前記第１、第２可動レンズ２０１２、２０１４を光軸方向に移動する前記レンズ移動機構１４が構成されている。
また、本実施の形態においては、前記第１鏡筒２００２の第１、第２カムピン２０２６、２０３０と、第２鏡筒２００４の第１、第２カム面２０３４、２０３６とによって特許請求の範囲の連動手段が構成され、前記前記第１乃至第４構造体２０７４、２０７６、２０７８、２０８０によって特許請求の範囲の回転手段が構成されている。
【００３７】
第３の実施の形態におけるブレーキ機構１５は、前記第２鏡筒２００４の光軸回りの回転位置を所望の角度で停止させるものであり、第１の実施の形態と同様に構成されている。すなわち、通電による自己発熱によって記憶された形状に復帰する形状記憶合金からなるブレーキ用構造体２０８６と、前記第２鏡筒２００４の外周にわたって形成されたローレット２０８８と、前記フレーム１６に取着された係止ばね２０９０とを備えて構成されている。
【００３８】
したがって、前記ブレーキ用構造体２０８６が通電されない場合には、図９に示すように、前記ブレーキ用構造体２０８６が前記係止ばね２０９０の付勢力によって伸長され、前記係止ばね２０９０の爪部２０９２が前記ローレット２０８８の凹部に係合し、これにより、前記第２鏡筒２００４の回転を停止する。すなわち、前記ブレーキ機構１５はブレーキ作動状態となる。
また、前記ブレーキ用構造体２０８６が通電された場合には、ブレーキ用構造体２０８６が短縮することにより、前記係止ばね２０９０の爪部２０９２が前記ローレット２０８８から離間され、前記第２鏡筒２００４の回転を可能とする。すなわち前記ブレーキ機構１５はブレーキ非動作状態となる。
【００３９】
次に上述のように構成された携帯電話機１００によって光学系のズーム比を変更する際の作用について説明する。
携帯電話機１００の利用者が光学系１０を広角に設定するための操作を前記操作入力手段１１０に対して行なうと、前記レンズ制御手段１０６は、図２に示すように、前記ブレーキ用構造体２０８６に前記ブレーキ用の駆動電流を供給して前記ブレーキ機構１５をブレーキ非作動状態とする。
次いで、前記前記レンズ制御手段１０６は、前記第１フレーム側取付ピン２０６６と第３フレーム側取付ピン２０７０に電圧を印加することにより前記電流の供給を行なう。
すると、前記第１、第３構造体２０７４、２０７８が短縮することで前記第１可動レンズ２０１２、第２可動レンズ２０１４は、前記レンズ移動機構１４の作用によって固定レンズ２０１０に近接する方向に移動される。この結果、前記光学系１０は、そのズーム比が広角となるように設定される。
次いで、前記レンズ制御手段１０６は、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定された広角の位置に停止保持される。
【００４０】
携帯電話機１００の利用者が光学系１０を望遠に設定するための操作を前記操作入力手段１１０に対して行なうと、広角に設定する場合と同様に、前記レンズ制御手段１０６は、前記ブレーキ用構造体２０８６にブレーキ用の駆動電流御を供給して前記ブレーキ機構１５をブレーキ非作動状態とする。
次いで、前記レンズ制御手段１０６は、前記第２フレーム側取付ピン２０６８と第４フレーム側取付ピン２０７２に電圧を印加することにより前記電流の供給を行なう。
すると、前記第２、第４構造体２０７６、２０８０が短縮することで前記第１可動レンズ２０１２、第２可動レンズ２０１４は、前記レンズ移動機構１４の作用によって前記撮像素子１２に近接する方向に移動される。この結果、前記光学系１０は、そのズーム比が望遠となるように設定される。
次いで、前記レンズ制御手段１０６は、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定された望遠の位置に停止保持される。
【００４１】
携帯電話機１００の利用者が光学系１０を広角と望遠の間の任意の位置に設定するための操作を前記操作入力手段１１０に対して行なうと、上述の場合と同様に、前記レンズ制御手段１０６は、前記ブレーキ用構造体２０８６に電圧を印加することにより電流を供給して前記ブレーキ機構１５をブレーキ非作動状態とする。
次いで、前記レンズ制御手段１０６は、前記第１、第３構造体２０７４、２０７８、あるいは、第２、第４構造体２０７６、２０８０の何れか一方に供給する電流の時間を調節し、これにより、前記第１、第３構造体２０７４、２０７８、あるいは、第２、第４構造体２０７６、２０８０の短縮する寸法を調整する。
これにより、前記第１可動レンズ２０１２、第２可動レンズ２０１４は、前記レンズ移動機構１４の作用によって前記固定レンズ２０１０と前記撮像素子１２の間の任意の位置に移動される。この結果、前記光学系１０は、そのズーム比が広角と望遠の間の任意の値となるように設定される。
次いで、前記レンズ制御手段１０６は、前記ブレーキ用構造体２０８６へのブレーキ用の駆動電流の供給を停止して前記ブレーキ機構１５をブレーキ作動状態とする。これにより、前記第１、第２可動レンズ２０１２、２０１４は設定されたズーム比の位置に停止保持される。
【００４２】
第３の実施の形態によれば、第１の実施の形態の場合と同様に、ブレーキ機構１５は構造が簡素で占有スペースも少なくて済むので、ブレーキ機構１５、該ブレーキ機構１５を用いたレンズ移動機構を簡素化および小型化する上で有利である。また、このようなレンズ移動機構を組み込んだカメラや携帯電話機などの電子機器の小型化を図る上で有利である。
また、ブレーキ機構１５を用いて第２鏡筒２００４の回転を停止させて前記第１、第２可動レンズ２０１２、２０１４を停止保持することにより、前記第１、第２構造体２０４８、２０５０への電流の供給を停止することができるので、消費電力を低減する上で有利となる。
また、ブレーキ機構１５の作動時に構造体２０８６が短縮する動作を行ない、この動作に際しては雑音が発生しないので、電子機器の静粛性を高める上で有利となる。特に、携帯電話機においては、前記雑音が送話器（内蔵マイク）を介して携帯電話機の使用者に届くことがないのでより好ましい。
【００４３】
なお、上述した第１乃至第３の実施の形態では、係止ばね２０９０の弾性力を用いて爪部２０９２のローレット２０８８への係合を行なった場合について説明したが、爪部２０９２のローレット２０８８への係合は、係止ばね２０９０の弾性力に代え別部材であるスプリングを用いてもよく、あるいは、ブレーキ用構造体２０８６とは反対側に設けた他の形状記憶合金からなる構造体を用いるようにしてもよい。
また、第１乃至第３の実施の形態においては、ブレーキ用構造体２０８６にブレーキ用の駆動電流を供給することでブレーキ機構１５を非作動状態とするように構成したが、爪部２０９２をローレット２０８８から常時離した状態にしておき、ブレーキ用構造体２０８６に電流を供給することで爪部２０９２をローレット２０８８に係合させブレーキ機構１５を作動状態とするように構成してもよい。
また、ブレーキ用構造体２０８６を構成する形状記憶合金の形状は、線状に限定されるものではなく、例えば帯板状であってもよく、さらにブレーキ用構造体２０８６の形状は通電することでその長さが変わる形状であればよくコイル状に限定されない。
【００４４】
なお、実施の形態では、ブレーキ部材として係止ばね２０９０を用いた場合について説明したが、ブレーキ部材としては、移動体に圧接することで移動体の移動を停止するブレーキシューなどの各種の従来公知の部材を使用できる。
また、本実施の形態では、移動体が回転する場合について説明したが、移動体の移動は回転運動に限らず直線運動などであってもよい。
【００４５】
また、上述した第１乃至第３の実施の形態では、前記第２鏡筒２００４に前記第１、第２カム面２０３４、２０３６が形成され、これら第１、第２カム面２０３４、２０３６に第１、第２可動レンズ枠２０２０、２０２２の第１、第２カムピン２０２６、２０３０が当接されることによって、これら第１、第２カムピン２０２６、２０３０が光軸方向に移動される構成であったが、図１１に示すように、前記第２鏡筒２００４に前記第１、第２カム面２０３４、２０３６に代えて第１、第２カム溝２０８２、２０８４を設け、これら第１、第２カム溝２０８２、２０８４に挿通された前記第１、第２カムピン２０２６、２０３０が光軸方向に移動される構成としてもよいことはもちろんである。
【００４６】
【発明の効果】
以上説明したように本発明によれば、簡素化および小型化を図る上で有利なブレーキ部材の駆動機構、このようなブレーキ部材の駆動機構を備えたレンズ移動機構、このようなレンズ移動機構を組み込んだカメラ、電子機器を提供することができる。
【図面の簡単な説明】
【図１】本発明の第１の実施の形態によるブレーキ部材の駆動機構が適用されたレンズ移動機構の斜視図である。
【図２】ブレーキ作動状態における図１のＹＹ線断面図である。
【図３】ブレーキ非作動状態における図１のＹＹ線断面図である。
【図４】レンズ移動機構を光軸方向から見た図である。
【図５】図１のＸＸ線断面図である。
【図６】本発明の第１の実施の形態における電子機器の構成を示すブロック図である。
【図７】第２の実施の形態によるレンズ移動機構の斜視図である。
【図８】図７の側面図である。
【図９】第３の実施の形態によるレンズ移動機構の側面図である。
【図１０】第３の実施の形態によるレンズ移動機構の平面図である。
【図１１】第２鏡筒の変形例を示す斜視図である。
【符号の説明】
１５……ブレーキ駆動機構、２００４……第２鏡筒、２０８８……ローレット、２０８６……ブレーキ用構造体、２０９０……係止ばね、２０９２……爪部。
【図１】
2004069986.tif 000003
【図２】
2004069986.tif 000004
【図３】
2004069986.tif 000005
【図４】
2004069986.tif 000006
【図５】
2004069986.tif 000007
【図６】
2004069986.tif 000008
【図７】
2004069986.tif 000009
【図８】
2004069986.tif 000010
【図９】
2004069986.tif 000011
【図１０】
2004069986.tif 000012
【図１１】
2004069986.tif 000013